(57)【要約】【課題】電子部品の発熱によって本体内に配置した収納ケースが変形したり溶解したとしても、安全性を保てる構造を提供する。【解決手段】本体１の上面に被加熱物を載置する絶縁板２を設け、該絶縁板２の下方の本体１内に加熱コイル９，１０と樹脂製の収納ケース１３を設置し、該収納ケース１３の内部に出力制御基板１１とその後方に冷却ファン１２を配置し、収納ケース１３の上部に冷却ファン１２に通じるケース吸気口１３ａと冷却口１３ｂ，１３ｃを備え、さらに、収納ケース１３内にケース吸気口１３ａから冷却口１３ｂ，１３ｃに通じる風路１３ｄを形成した誘導加熱調理器において、前記収納ケース１３の外側面に金属板よりなる保護板１４を貼り付けた。【選択図】  図４
2010287313.tif 000002
【特許請求の範囲】
【請求項１】
本体の上面に被加熱物を載置する絶縁板を設け、該絶縁板の下方の前記本体内に加熱コイルと樹脂製の収納ケースを設置し、該収納ケースの内部に出力制御基板とその後方に冷却ファンを配置し、前記収納ケースの上部に前記冷却ファンに通じるケース吸気口と冷却口を備え、さらに、前記収納ケース内に前記ケース吸気口から冷却口に通じる風路を形成した誘導加熱調理器において、前記収納ケースの外側面に金属板よりなる保護板を貼り付けたことを特徴とする誘導加熱調理器。
【請求項２】
前記保護板は、前記収納ケースの前面及び左右側面に貼り付けたことを特徴とする請求項１記載の誘導加熱調理器。
【請求項３】
前記保護板は、前記収納ケースの前面及び左右側面から底面を覆うように略Ｌ状に成形されていることを特徴とする請求項１又は２の何れかに記載の誘導加熱調理器。
【発明の詳細な説明】
【技術分野】
【０００１】
本発明は、加熱コイルによって発生する磁束により絶縁板上に置いた鍋等の被加熱物に渦電流を発生させ、被加熱物を加熱する誘導加熱調理器に関するものである。
【背景技術】
【０００２】
特許文献１に記載されているように、本体の上面に鍋等の被加熱物を載置する絶縁板を設け、該絶縁板の下方に加熱手段と、出力制御基板と、これらを冷却する冷却ファンとを設け、本体後部に上方へ向けて開口された吸気口と排気口とを設けた誘導加熱調理器において、前記本体の内部に耐熱性の高いポリプロピレン等よりなる樹脂製の収納ケースを設置し、該収納ケースの内部に前記した出力制御基板と冷却ファンを配置し、収納ケースの上部に前記吸気口と対応するケース吸気口を備え、収納ケースの上部に加熱手段と対応する冷却口を備え、さらに、収納ケース内にケース吸気口から冷却口に通じる風路を形成した構造のものがある。
【０００３】
上記した誘導加熱調理器は、例えば特許文献２及び特許文献３に記載されているように、主な通風路を吸気ダクトや基板カバー、基板保持台、操作部後壁面等の複数の部品の集合体で構成するものに比べて、本体内部に樹脂製の収納ケースを配置し、該収納ケース内に出力制御基板と冷却ファンを配置し、収納ケース内にケース吸気口から冷却口に通じる風路を形成しているので、冷却風のロスを抑え、加熱手段や出力制御基板の冷却効率が向上し、かつ、組み立て性も向上してコストを低減することができるという優れた効果がある。
【０００４】
ところで、近年は、アルミ等の非磁性体鍋を使用して加熱調理ができる誘導加熱調理器が普及してきており、そのために加熱コイルの出力を制御する電子部品の数が大幅に増え、それに伴って収納ケース内の出力制御基板の数も増えてきている。
【０００５】
該出力制御基板上に搭載される電子部品は、例えばＩＧＢＴやインバータ，ダイオードブリッジ等の高発熱電子部品やそれらを冷却するヒートシンク、その他の電子部品、すなわち、共振コンデンサや抵抗等からなっており、それらの電子部品は、冷却ファンから送風される冷却風によって効率よく冷却されるように出力制御基板上に配置されている。
【０００６】
しかしながら、上記のように収納ケース内の出力制御基板に数多くの電子部品が配置された誘導加熱調理器においては、本体上面の絶縁板上に調理鍋等を載置して加熱調理を行っている際に、吹きこぼれ等が生じて液体が吸気口から収納ケース内に流入した場合、その液体が出力制御基板上の各種電子部品の端子部に付着して絶縁が悪化し、発熱等によって収納ケースが変形したり、溶解することが考えられる。
【０００７】
この問題を解決するためには、収納ケースを金属ケースによって成形することも考えられるが、出力制御基板と金属ケースとの絶縁距離を確保することが難しく、実現が難しい。
【先行技術文献】
【特許文献】
【０００８】
【特許文献１】特開２００３−８６３３９号公報
【特許文献２】特開２００１−１９６１５３号公報
【特許文献３】特開２００１−１７６６５１号公報
【発明の概要】
【発明が解決しようとする課題】
【０００９】
本発明は、万一、電子部品の発熱によって収納ケースが変形したり溶解したとしても、安全性を保てる構造を提供するものである。
【課題を解決するための手段】
【００１０】
本発明は、上述の課題を解決するためになされたものであり、請求項１では、本体の上面に被加熱物を載置する絶縁板を設け、該絶縁板の下方の前記本体内に加熱コイルと樹脂製の収納ケースを設置し、該収納ケースの内部に出力制御基板とその後方に冷却ファンを配置し、前記収納ケースの上部に前記冷却ファンに通じるケース吸気口と冷却口を備え、さらに、前記収納ケース内に前記ケース吸気口から冷却口に通じる風路を形成した誘導加熱調理器において、前記収納ケースの外側面に金属板よりなる保護板を貼り付けたものである。
【００１１】
請求項２では、前記保護板は、前記収納ケースの前面及び左右側面に貼り付けたものである。
【００１２】
請求項３では、前記保護板は、前記収納ケースの前面及び左右側面から底面を覆うように略Ｌ状に成形されるものである。
【発明の効果】
【００１３】
本発明によれば、本体上面の絶縁板上に調理鍋等を載置して加熱調理を行っている際に、吹きこぼれ等が生じて液体が吸気口から収納ケース内に流入し、その液体が出力制御基板上の各種電子部品の端子部に付着して絶縁が悪化し、発熱等によって万一収納ケースが変形したり、溶解することがあっても、金属板からなる保護板によって収納ケース内の現象のみに止め、収納ケース外の周辺部品や本体が組み込まれるシステムキッチンへの悪影響をなくすことができる。
【００１４】
また、修理も収納ケースのみ本体から取り出して行うことができ、その作業も簡単である。
【００１５】
また、収納ケースに格別の変更を加えることなく、保護板を貼り付けることができるため、従来の冷却性能や組み立て性能の向上をそのまま踏襲できるとともに、保護板も複数の機種に共用化した形に成形することが可能であり、量産品に適している。
【００１６】
さらに、金属板からなる保護板は、収納ケースの外側面に貼り付けられているため、出力制御基板との絶縁距離を今まで通り確保することができ、安全性を保つことができる。
【００１７】
また、保護板を冷却ファンのある収納ケースの後部を除いて前面及び左右側面に取り付けたり、収納ケースの前面及び左右側面から底面を覆うように略Ｌ状に成形した場合には、電子部品の発熱等によって万一収納ケースが変形したり溶解しても、確実に収納ケース外への悪影響をなくし、安全性を保つことができる。
【図面の簡単な説明】
【００１８】
【図１】本発明に係る誘導加熱調理器の外観斜視図である。
【図２】同本体上面の絶縁板を取り除いた状態の内部平面図である。
【図３】同誘導加熱調理器の側面断面図である。
【図４】同収納ケースの外観斜視図である。
【図５】図４のＡ−Ａ断面図である。
【発明を実施するための形態】
【００１９】
以下、本発明の一実施例を図面に従って説明する。
【００２０】
図において、１は誘導加熱調理器の本体である。該本体１は、台所のシステムキッチンに設置されたり、専用の設置台の上に設置して使用される。
【００２１】
２は鉄製の鍋やアルミ製の鍋等よりなる被加熱物（図示せず）を載置する絶縁板で、耐熱ガラスよりなり、本体１の上面に水平に設けられている。
【００２２】
３，４は加熱部で、絶縁板２上の左右に二つ有り、載置された被加熱物（図示せず）を加熱する部位である。
【００２３】
５は吸気口で、本体１後部に上方へ向けて開口された開口部である。６は排気口で、本体１後部に上方へ向けて開口された開口部である。本実施例では、吸気口５は本体１後部の右側に、排気口６は左側に配置されている。
【００２４】
９，１０は加熱コイルで、絶縁板２の下方において左右の加熱部３，４に対応して設けられ、誘導加熱時に高周波電流が流れて被加熱物（図示せず）を加熱する磁束を発生する。
【００２５】
７は本体１の前面左部に設けられたグリル加熱部で、前記した左側の加熱コイル９の下側に配置され、中に設けられた調理庫（図示せず）で魚等を焼くものである。
【００２６】
８は本体１の前面右部に設けられた操作部で、前記加熱コイル９，１０，グリル加熱部７の設定，操作を行うものである。
【００２７】
１１は出力制御基板で、絶縁板２の下方でグリル加熱部７に隣接して設けられ、左右の加熱コイル９，１０の出力を主に制御する制御回路を含んだ回路基板である。該出力制御基板１１は多段、図では二段で構成されており、上面略中央には、例えばＩＧＢＴやインバータ，ダイオードブリッジ等の高発熱電子部品１１ａやそれらを冷却するヒートシンク１１ｂ，その周囲に他の電子部品１１ｃ、すなわち、共振コンデンサや抵抗等が搭載されている。
【００２８】
１２は冷却ファンで、絶縁板２の下方で、かつ、出力制御基板１１の後方に吸気口５に連なるように設けられ、加熱コイル９，１０及び出力制御基板１１を冷却するものである。
【００２９】
１３はポリプロピレン樹脂等の難燃性樹脂からなる収納ケースで、本体１内部のグリル加熱部７の隣で、右側の加熱コイル１０の下側に設置され、内部の空間部に前記した多段の出力制御基板１１と、その後部側に位置するように冷却ファン１２を配置し、上部にケース吸気口１３ａと第一の冷却口１３ｂ，第二の冷却口１３ｃを備えている。そして、収納ケース１３内にケース吸気口１３ａから冷却口１３ｂ，１３ｃに通じる風路１３ｄを形成している。
【００３０】
ケース吸気口１３ａは後部上方に開口した開口部で、本体１後部の吸気口５の内側に略嵌合するように構成され、前記冷却ファン１２によって収納ケース１３の内部に吸込まれる外気の吸気部分である。
【００３１】
第一の冷却口１３ｂは、冷却ファン１２からの送風が収納ケース１３より吹き出される開口部の一つで、左側の加熱コイル９の側部に対向するように、収納ケース１３の上部左側面側に左方に向けて開口し、ここから吹き出された冷却風は加熱コイル９に吹き付けられる。
【００３２】
第二の冷却口１３ｃは、冷却ファン１２からの送風が収納ケース１３より吹き出される開口部の他の一つで、右側の加熱コイル１０の側部に対向するように、収納ケース１３の上部前側に後方に向けて開口し、ここから吹き出された冷却風は加熱コイル１０に吹き付けられる。
【００３３】
１４は金属板で構成される保護板で、図４及び図５に示すように収納ケース１３の外側面に密着するように貼り付けられている。該保護板１４は強度が強く、価格的にも量産的にも適している鉄板が望ましいが、アルミ板やその他の金属板を用いても問題はなく、その取り付けは、図示しないが、収納ケース１３にネジで取り付けてもよく、また収納ケース１３に溝を設け、該溝に金属板に設けた突片を差し込んで取り付けても良い。
【００３４】
また、保護板１４は、収納ケース１３の後部側に冷却ファン１２が配置されていることから、図４に示すように収納ケース１３の前面及び左右側面に貼り付けられる。また、上面に貼り付けることもできる。
【００３５】
また、保護板１４は、収納ケース１３の前面及び左右側面から底面を覆うように略Ｌ状に成形すれば、収納ケース１３の底面の強度も上げることができる。
【００３６】
以上の構成において、その動作を説明する。
【００３７】
使用者が鉄鍋やアルミ鍋等の被加熱物（図示せず）を絶縁板２の加熱部３又は４上に載置し、操作部８を操作して調理を開始すると、出力制御基板１１は加熱コイル９又は１０に制御信号を出力する。この制御信号により、加熱コイル９又は１０は内部に高周波電流が流れて磁束を発生し、この磁束により被加熱物（図示せず）に渦電流が流れ、被加熱物（図示せず）自身が発熱して加熱される。
【００３８】
調理が開始されると、同時に、出力制御基板１１は冷却ファン１２にも制御信号を出力し、この制御信号により冷却ファン１２は駆動され、ケース吸気口１３ａから外気を吸込み、収納ケース１３の中に送風する。
【００３９】
冷却ファン１２による送風は、風路１３ｄを通って収納ケース１３の内部で冷却風の下流に配置された出力制御基板１１に吹き付けられ、高発熱電子部品１１ａやそれらを冷却するヒートシンク１１ｂ，その周囲に他の電子部品１１ｃを冷却する。
【００４０】
冷却風の一部は出力制御基板１１の一部を冷却し、収納ケース１３の上部略中央で左方に向けて開口された第一の冷却口１３ｂを通り、その方向が略水平左方に変わり、左の加熱コイル９の側部に吹き付けて冷却し、その後、排気口６から本体１の外部に排出される。
【００４１】
冷却風の他の一部は出力制御基板１１を通過し、収納ケース１３の手前壁面に沿って上方に向い、収納ケース１３の上部前側で後方に向けて開口された冷却口１３ｃを通り、その方向が略水平後方に変わり、右の加熱コイル１０の側部に吹き付けて冷却し、その後、排気口６から本体１の外部に排出される。
【００４２】
調理中は上記のように冷却動作が行われ、調理が終了すると、出力制御基板１１は制御信号の出力を停止し、加熱コイル９，１０，冷却ファン１２の運転を停止させる。
【００４３】
上記本実施例によれば、収納ケース１３内に出力制御基板１１および冷却ファン１２が配置されているため、出力制御基板１１の冷却は、冷却風のロスがなく、冷却効率の高いものである。
【００４４】
また、収納ケース１３の上部に加熱コイル９，１０の側部に対向するように、第一，第二の冷却口１３ｂ，１３ｃを設けることにより、これらから吹き出す冷却風の分散が抑えられ集中的に各加熱コイル９，１０に吹き付けられるので、左右の加熱コイル９，１０の冷却は非常に冷却効率の高いものである。
【００４５】
一方、上記したように絶縁板２上に載置した調理鍋で加熱調理を行っている際に、吹きこぼれ等が生じて液体が吸気口５から収納ケース１３内に流入した場合には、その液体が出力制御基板１１上の各種電子部品１１ａ，１１ｂ，１１ｃの端子部に付着して絶縁が悪化し、発熱等によって収納ケースが変形したり、溶解することが考えられる。
【００４６】
このとき、収納ケース１３の後部側には冷却ファン１２が設けられ、前面及び左右側面に金属板からなる保護板１４が貼り付けられているため、万一、収納ケース１３が変形したり、溶解することがあっても保護板１４によって収納ケース１３内の現象のみに止められ、収納ケース１３外の周辺部品や本体１が組み込まれたシステムキッチン周辺へ悪影響を及ぼすのを阻止することができる。
【００４７】
また、収納ケース１３が変形したり溶解しても、その修理は収納ケース１３のみ本体１から取り出して行うことができ、その作業も簡単である。
【００４８】
また、収納ケース１３には格別の変更を加えることなく、保護板１４を貼り付けることができるため、従来の冷却性能や組み立て性能の向上をそのまま踏襲できるとともに、保護板１４も複数の機種に共用化した形成形することが可能であり、量産品に適している。
【００４９】
さらに、金属板からなる保護板１４は、収納ケース１３の外側面に貼り付けられているため、出力制御基板１１との絶縁距離を今まで通り確保することができ、安全性を保てる。
【００５０】
また、保護板１４は、収納ケース１３の前面及び左右側面から底面を覆うように略Ｌ状に成形されている場合には、収納ケース１３の底面が変形したり溶解しても底面の現象のみに止められ、底面周囲の部品に悪影響を及ぼすのを阻止することができる。
【００５１】
尚、上記実施例は、加熱コイル９，１０を二つとして説明したが、三つ以上の場合は、同様に収納ケース１３に設ける冷却口１３ｂ，１３ｃの数，位置および吹き出す方向を各々加熱コイル９，１０の数および位置に対応して適宜設ければよい。
【符号の説明】
【００５２】
１  本体
２  絶縁板
３，４  加熱部
５  吸気口
６  排気口
７  グリル加熱部
８  操作部
９，１０  加熱コイル
１１  出力制御基板
１２  冷却ファン
１３  収納ケース
１３ａ  ケース吸気口
１３ｂ，１３ｃ  冷却口
１３ｄ  風路
１４  保護板
【図１】
2010287313.tif 000003
【図２】
2010287313.tif 000004
【図３】
2010287313.tif 000005
【図４】
2010287313.tif 000006
【図５】
2010287313.tif 000007